(57)【特許請求の範囲】
【請求項１】
５０〜９０℃の温水が注入されているストレーナー付きパルパー内に原料濃度が５〜３０重量％となるようにプラスチック被覆紙原料を細分化することなく投入し、該ストレーナー付きパルパーの運転を継続しながら、アルカリ薬品を次に添加する酸化漂白剤の漂白効果が好適に発揮されるｐＨ範囲になるように添加した後、酸化漂白剤を酸化電位が０.２〜１.２ボルトになるように添加する一連のパルパー処理を短時間で行い、次いでパルパーストレーナー処理によりプラスチックの大部分を除去する工程を経ることによってＴＡＰＰＩ−ＵＭ２４０1985による機械パルプの結束繊維含有量が０〜５重量％になる状態とした後、引き続き該プラスチックの大部分を除去したスラリーを重量異物除去クリーナーと粗スクリーンと細スクリーンと軽量異物除去クリーナーとのクリーナーシリーズの４段階処理して得られるプラスチック被覆紙原料から取り出した良質のセルロース繊維を６０〜１００重量％配合させた坪量１０〜５０ｇ／ｍ2の衛生用紙であって、ＪＩＳＰ８１４５1976「紙及び板紙のきょう雑物試験方法」で測定される夾雑物が４０mm2／ｍ2以下であり、Ｊ．ＴＡＰＰＩ紙パルプ試験方法No.34−80「衛生用薄葉紙の柔らかさ試験方法」で測定される柔らかさが縦１０mN／１００mm以下、横７mN／１００mm以下であることを特徴とするプラスチック被覆紙原料から取り出した良質のセルロース繊維を高配合した衛生用紙。
【請求項２】
ＪＩＳＳ３１０４1992「ティシュペーパー」で測定される吸水度が４秒以下である請求項１に記載のプラスチック被覆紙原料から取り出した良質のセルロース繊維を高配合した衛生用紙。
【発明の詳細な説明】
【０００１】
【発明の属する技術分野】
本発明は牛乳パック等のプラスチック被覆紙原料から取り出した良質のセルロース繊維が高配合されているにも拘らず、夾雑物が少ない、プラスチック被覆紙原料から取り出した良質のセルロース繊維を高配合した衛生用紙に関するものである。
【０００２】
【従来の技術】
従来、トイレットペーパー，ティシュペーパー，ロールペーパータオル，ハンドペーパータオル，ナプキン原紙の如き衛生用紙のうち、トイレットペーパーにおいては模造や色上と呼ばれる上質系古紙を地球釜で蒸解し、その後、精選・洗浄工程を経て脱インキする方式で得られる繊維が利用されてきていたが、近年では模造や色上をパルパーで離解し、その後熟成タワーで熟成した後、脱インキのための洗浄工程及び異物除去のためのスクリーニング工程を経て得られるセルロース繊維を使用することが一般的であり、更に最近では地球釜で蒸解する方法の代わりにパルパーで低温で薬品処理する方法に変わりつつある。しかしながら、これらの方法では灰分除去が完全でないためトイレットペーパーの紙質が硬くなること、上質紙に由来する蛍光染料が残存すること、離解による微細繊維が多くなることにより抄紙工程で抄速を高めることができないこと、白水の回収が困難になること等の問題点があった。
またティシュペーパー，ロールペーパータオル，ナプキン原紙等においてはバージンバルブを原料として製造することが一般的であった。
【０００３】
一方、牛乳パック等プラスチック被覆紙原料からセルロース繊維を取り出す方法としては、特開昭６０−１３４０８９号公報や特開平４−１６３３８５号公報や特開平６−３１３２８５号公報等に開示されている方法が知られている。即ち、特開昭６０−１３４０８９号公報に開示されている発明は、ラミネート故紙を含む製紙原料をストレーナー付きパルパーで破砕した粗大紙片を１０時間以上熟成タワーに貯留して水和、膨潤させて紙片とラミネート片の結合を緩めた後にスクリーンにてラミネート片を分離除去する方法であり、特開平４−１６３３８５号公報に開示されている発明は、ラミネート故紙をパルパー内でアルカリ添加下に大きなフレーク状に離解した後に熟成タワーで３０分〜２４時間熟成した後、希釈スラリーをスクリーン処理することを特徴とする方法である。また特開平６−３１３２８５号公報に開示されている発明は、牛乳パックやポリラミネート紙の古紙原料を水，苛性ソーダ，脱墨剤等と共にパルパーにより破砕した後に熟成タワー中で１０〜２０時間貯留して膨潤させパルプ化し、次いで除塵、精製することを特徴とするプラスチック被覆紙の古紙のパルプ化法である。
しかしながらこれらいずれの方法もプラスチック被覆紙原料から生じる夾雑物を精度良く除去することが困難であり、また熟成タワーにおいて薬品添加の状態で１０時間程度の熟成工程があるため衛生用紙に利用する場合、充分な柔軟性，吸水性を保つことがむずかしくなる等の問題があった。
【０００４】
【発明が解決しようとする課題】
本発明は前記した如き従来技術を使用して製造した衛生用紙の欠点を改良し、牛乳パックのようなプラスチック被覆紙を原料とし、これから再生した良質のセルロース繊維を６０〜１００重量％と高配合させた坪量１０〜５０ｇ／ｍ2で、Ｊ．ＴＡＰＰＩ紙パルプ試験方法No.34−80「衛生用薄葉紙の柔らかさ試験方法」で測定される柔らかさが縦１０mN／１００mm以下、横７mN／１００mm以下であるトイレットペーパー，ティシュペーパー，ロールペーパータオル，ハンドペーパータオル，ナプキン原紙の如き衛生用紙を得ることを課題とする。
【０００５】
【課題を解決するための手段】
本発明者らは前記課題を解決すべく種々検討の結果、坪量１０〜５０ｇ／ｍ2の衛生用紙においてプラスチック被覆用紙の原料から再生したセルロース繊維を使用することによってプラスチック被覆用紙の原料に起因する夾雑物が品質に大きく影響することを究明し、特殊な方法で取り出したプラスチック被覆紙を原料としたセルロース繊維を使用することにより夾雑物の量と柔らかさとを一義的に規定し、吸水度を二義的に規定することにより優れた品質の衛生用紙を得ることができることを究明し、本発明に到達したのである。
【０００６】
即ち、本発明に係るプラスチック被覆紙原料から取り出した良質のセルロース繊維を高配合した衛生用紙は、５０〜９０℃の温水が注入されているストレーナー付きパルパー内に原料濃度が５〜３０重量％となるようにプラスチック被覆紙原料を細分化することなく投入し、該ストレーナー付きパルパーの運転を継続しながら、アルカリ薬品を次に添加する酸化漂白剤の漂白効果が好適に発揮されるｐＨ範囲になるように添加した後、酸化漂白剤を酸化電位が０.２〜１.２ボルトになるように添加する一連のパルパー処理を短時間で行い、次いでパルパーストレーナー処理によりプラスチックの大部分を除去する工程を経ることによってＴＡＰＰＩ−ＵＭ２４０1985による機械パルプの結束繊維含有量が０〜５重量％になる状態とした後、引き続き該プラスチックの大部分を除去したスラリーを重量異物除去クリーナーと粗スクリーンと細スクリーンと軽量異物除去クリーナーとのクリーナーシリーズの４段階処理して得られるプラスチック被覆紙原料から取り出した良質のセルロース繊維を６０〜１００重量％配合させた坪量１０〜５０ｇ／ｍ2の衛生用紙であって、ＪＩＳＰ８１４５1976「紙及び板紙のきょう雑物試験方法」で測定される夾雑物が４０mm2／ｍ2以下であり、Ｊ．ＴＡＰＰＩ紙パルプ試験方法No.34−80「衛生用薄葉紙の柔らかさ試験方法」で測定される柔らかさが縦１０mN／１００mm以下、横７mN／１００mm以下であることを必要とする。
ＪＩＳＰ８１４５1976「紙及び板紙のきょう雑物試験方法」で測定される夾雑物が４０mm2／ｍ2以下でなければならないのは、プラスチック被覆紙原料から取り出したセルロース繊維を用いた紙中の夾雑物は、細片化されたプラスチックや印刷物によるチリを主体としていてパルプ工程の除塵，精選工程において完全に除去できなかったものであり、その結果この夾雑物が肌触りを悪くしていたのであるが、夾雑物が４０mm2／ｍ2以下であればパルプの種類由来を問わず充分な品質の衛生用紙を得ることができることを究明したことによる。
【０００７】
衛生用紙としての特性としては、ティッシュペーパーは顔の脂やクリーム等の他、汗や鼻水や涙や点眼薬等を拭き取るときに主として用いる薄葉紙であって、湿潤強力樹脂を配合しており、裂け難く，吸水性が高く，柔軟性があり，毛羽立たないことが、トイレットペーパーは水洗トイレにおいて溶け易いように湿潤強力樹脂は配合しておらず、柔軟性，ほぐれ易さ，吸水性を有していることが、またロールペーパータオルやハンドペーパータオルは肌に付いた水を拭き取るためのものであるから普通湿潤強力樹脂を配合しており、柔軟性，吸水性，無臭，湿潤強さを有していることが望まれる。
【０００８】
これらの特性の内、前記夾雑物に次いで、肌触りの面から柔軟性（柔らかさ）が、また拭き取り性から吸水性が衛生用紙全般を通じて特に重要な因子である。
【０００９】
衛生用紙の柔らかさとして、Ｊ．ＴＡＰＰＩ紙パルプ試験方法No.34−80「衛生用薄葉紙の柔らかさ試験方法」で測定される柔らかさの値が縦方向で１０mN／１００mm以下、横方向で７mN／１００mm以下であることが必要である。この値は、小さい程柔らかいことを示し、衛生用紙の種類を問わず前記範囲内にあれば肌触りが良好である。
【００１０】
また、紙の吸水度は紙の水を吸収する程度を示すもので、特定の試験片が一定量の水を吸収するのに要する時間（秒）で表わし、値が小さい程吸水性が良い。吸水度はＪＩＳＳ３１０４1992「ティッシュペーパー」に規定されており、ティッシュペーパーのＪＩＳ規格は８秒以下と規定されている。しかしながら、湿潤強力樹脂を配合しないトイレットペーパーを含む全衛生用紙に適用するには４秒以下にすることが好ましい。
【００１１】
【発明の実施の形態】
以下、本発明に係るプラスチック被覆紙原料から取り出した良質のセルロース繊維を高配合した衛生用紙を実施例及び比較例によって説明する。
Ｉ  本発明で使用するプラスチック被覆紙原料から取り出した良質のセルロース繊維は、牛乳パックから次の方法により作成した。
５０〜９０℃の温水が注入されているストレーナー付きパルパー内に原料濃度が５〜３０重量％となるように牛乳パックを細片化することなく投入し、該ストレーナー付きパルパーの運転を継続しながら、アルカリ薬品を次に添加する酸化漂白剤の漂白効果が好適に発揮されるｐＨ範囲になるように添加した後、酸化漂白剤を酸化電位が０.２〜１.２ボルトになるように添加する一連のパルパー処理を短時間で行い、次いでパルパーストレーナー処理によりプラスチックの大部分を除去する工程を経ることによってＴＡＰＰＩ−ＵＭ２４０1985による機械パルプの結束繊維含有量が０〜５重量％になる状態とした後、引き続き該プラスチックの大部分を除去したスラリーを重量異物除去クリーナーと粗スクリーンと細スクリーンと軽量異物除去クリーナーとのクリーナーシリーズの４段階処理して得られるプラスチック被覆紙原料から良質のセルロース繊維を取り出す方法。
【００１２】
II  また、比較例で使用するセルロース繊維は、プラスチック被覆紙原料である牛乳パック又はプラスチック被覆紙原料ではない色上、模造古紙から特開平６−３１３２８５号公報に記載されている次の方法により作成した。
ストレーナー付きパルパーに古紙原料を水，苛性ソーダ，脱墨剤（古紙原料が牛乳パックである場合には脱墨剤は使用せず）等と共に供給し、パルパーにより上記古紙原料を次工程に流送できる程度の大きさに破砕して排出し、排出された破砕紙片を脱水して熟成タワーに投入し、タワー内に１０〜２０時間程度、堆積貯溜して紙片を膨潤化させることによりその大部分をパルプ化させ、次いで熟成タワーの底部からパルプ及び膨潤した破砕紙片を引出し、次の除塵，精選工程に流送してパルプ化する方法。
【００１３】
前記Ｉ及びIIで得たセルロース繊維及びバージンパルプから得たセルロース繊維を使用して抄紙した衛生用紙を以下の試験方法により測定した。
坪量：ＪＩＳＰ８１２４1976「紙のメートル坪量測定方法」
白色度：ＪＩＳＰ８１２３1961「紙及びパルプのハンター白色度試験方法」
ほぐれ易さ：ＪＩＳＰ４５０１1993「トイレットペーパー」
数値が低い程、ほぐれ易いことを示す。
夾雑物：ＪＩＳＰ８１４５1976「紙及び板紙のきょう雑物試験方法」
柔らかさ：Ｊ．ＴＡＰＰＩ紙パルプ試験方法No.34−80「衛生用薄葉紙の柔らかさ試験方法」
数値が低い程、柔らかいことを示す。
吸水度：ＪＩＳＳ３１０４1992「ティッシュペーパー」
数値が低い程、吸水し易いことを示す。
【００１４】
【実施例】
実施例１
Ｉの牛乳パックから取り出した良質のセルロース繊維１００重量％、IIの特開平６−３１３２８５号公報に記載されている発明により牛乳パックから取り出したセルロース繊維１００重量％、IIの特開平６−３１３２８５号公報に記載されている発明により色上、模造古紙から取り出したセルロース繊維１００重量％、及びバージンパルプから得たセルロース繊維１００重量％をそれぞれ使用して抄紙したトイレットペーパーを２枚重ねに加工した製品について品質試験を行った結果を表１に示す。
【００１５】
【表１】
0004519228.tif 000002
【００１６】
実施例２
Ｉの牛乳パックから取り出した良質のセルロース繊維とバージンパルプから得たセルロース繊維とを各種配合比で抄紙したトイレットペーパーを２枚重ねに加工した製品についての品質試験結果を表２に示す。
【００１７】
【表２】
0004519228.tif 000003
【００１８】
比較例
IIの牛乳パックから取り出したセルロース繊維とバージンパルプから得たセルロース繊維とを各種配合比で抄紙したトイレットペーパーを２枚重ねに加工した製品についての品質試験結果を表３に示す。
【００１９】
【表３】
0004519228.tif 000004
【００２０】
実施例３
Ｉの牛乳パックから取り出した良質のセルロース繊維８０重量％とバージンパルプから得たセルロース繊維２０重量％をそれぞれ使用してティッシュペーパーを２枚重ねに加工した製品と、IIの牛乳パックから取り出したのセルロース繊維８０重量％とバージンパルプから得たセルロース繊維２０重量％をそれぞれ使用してティッシュペーパーを２枚重ねに加工した製品とについての品質試験結果を表４に示す。
【００２１】
【表４】
0004519228.tif 000005
【００２２】
実施例４
Ｉの牛乳パックから取り出した良質のセルロース繊維とバージンパルプから得たセルロース繊維とを各種配合比で抄紙したティッシュペーパー及びIIの牛乳パックから取り出したセルロース繊維とバージンパルプから得たセルロース繊維とを各種配合比で抄紙したティッシュペーパーについての吸水度測定結果を表５，６に示す。
【００２３】
【表５】
0004519228.tif 000006
【００２４】
【表６】
0004519228.tif 000007
【００２５】
【発明の効果】
以上に詳述した実施例から明らかなように、本発明に係るプラスチック被覆紙原料から取り出した良質のセルロース繊維を高配合した衛生用紙は、牛乳パックのようなプラスチック被覆紙原料から取り出したセルロース繊維を配合した坪量１０〜５０ｇ／ｍ2の衛生用紙において、IIの特開平６−３１３２８５号公報に開示されている発明で牛乳パックのようなプラスチック被覆紙原料から取り出したセルロース繊維を使用して衛生用紙とするにはこの牛乳パックのようなプラスチック被覆紙原料から取り出したセルロース繊維の配合率を２０重量％以下にしなければ肌触りの良好な条件である夾雑物４０mm2／ｍ2以下にすることができないのに対して、牛乳パックのようなプラスチック被覆紙原料から取り出したセルロース繊維が高配合の６０〜１００重量％であるにも拘らず、夾雑物が４０mm2／ｍ2以下で肌触りがバージンパルプ１００重量％の衛生用紙と遜色の無い衛生用紙である。
【００２６】
また、IIの特開平６−３１３２８５号公報に開示されている発明で牛乳パックのようなプラスチック被覆紙原料から取り出したセルロース繊維を使用して衛生用紙とするには、この牛乳パックのようなプラスチック被覆紙原料から取り出したセルロース繊維の配合率を６０重量％以下にしなければＪ．ＴＡＰＰＩ紙パルプ試験方法No.34−80「衛生用薄葉紙の柔らかさ試験方法」で測定される柔らかさを縦１０mN／１００mm以下、横７mN／１００mm以下にすることができないのに対して、本発明に係るプラスチック被覆紙原料から取り出した良質のセルロース繊維を高配合した衛生用紙は、牛乳パックのようなプラスチック被覆紙原料から取り出したセルロース繊維が高配合の６０〜１００重量％であるにも拘らず、柔らかさが縦１０mN／１００mm以下、横７mN／１００mm以下であってバージンパルプ１００重量％の衛生用紙と遜色の無い衛生用紙である。
【００２７】
そして、衛生用紙がティッシュペーパーである場合に、ＪＩＳＳ３１０４1992「ティッシュペーパー」で測定される吸水度をティッシュペーパーのＪＩＳ規格である８秒以下にするには、IIの特開平６−３１３２８５号公報に開示されている発明で牛乳パックのようなプラスチック被覆紙原料から取り出したセルロース繊維を使用して衛生用紙とするにはこの牛乳パックのようなプラスチック被覆紙原料から取り出したセルロース繊維の配合率を６０重量％以下にしなければならず、特に本発明の請求項２に規定しているような４秒以下とするためにはこの牛乳パックのようなプラスチック被覆紙原料から取り出したセルロース繊維の配合率２０％以下にしなければならないのに対して、本発明に係るプラスチック被覆紙原料から取り出した良質のセルロース繊維を高配合した衛生用紙は牛乳パックのようなプラスチック被覆紙原料から取り出したセルロース繊維が高配合の６０〜１００重量％であるにも拘らず、吸水度が４秒以下でバージンパルプ１００重量％の衛生用紙と遜色の無い衛生用紙である。
【００２８】
このように本発明に係るプラスチック被覆紙原料から取り出した良質のセルロース繊維を高配合した衛生用紙は、牛乳パックのようなプラスチック被覆紙原料から取り出したセルロース繊維を６０〜１００重量％という高配合したにも拘らず、バージンパルプ１００重量％の衛生用紙と遜色の無い衛生用紙を提供するものであり、近年広く叫ばれている「地球に優しい」衛生用紙である。